(57)【要約】      （修正有）【課題】コンテナーの設置位置が高くても、品出しがし易い品出しコンテナーを提供する。【解決手段】対峙する一対の側枠間にパイプ部材を水平状に差し渡して付設した枠体本体と、側枠から内側に延出する上部が開口したコンテナーが載置する一対の載置部２ａと、載置部２ａの直上であって、コンテナー５ａを引き出す側に位置する直上パイプ部材に付設される係止装置を備える品出しカート１０であって、係止装置は、直上パイプ部材に下方に垂れ下がり状で且つバネ力により前方へ回動するように付設される回動係止部材３２と、直上パイプ部材に付設され、回動係止部材３２の前方への回動を規制する固定部材３１ａとからなる。【選択図】図５
0003184997.tif 000002
【実用新案登録請求の範囲】
【請求項１】
対峙する一対の側枠間にパイプ部材を水平状に差し渡して付設した枠体本体と、
側枠から内側に延出する上部が開口したボックス状のコンテナーが載置する一対の載置部と、
該載置部の直上であって、該コンテナーを引き出す側に位置する直上パイプ部材に付設される係止装置を備える品出しカートであって、
該係止装置は、該直上パイプ部材に下方に垂れ下がり状で且つバネ力により前方へ回動するように付設される回動係止部材と、
該直上パイプ部材に付設され、該回動係止部材の前方への回動を規制する固定部材とからなり、該回動係止部材は、該コンテナーを前方から該載置部に設置する際、該コンテナーに押されバネ付勢に抗して回動し、該コンテナー設置後、該コンテナーが前方へ引き出される際、該コンテナーの後側板の内側と当接して、該コンテナーを前方下りの傾斜姿勢とすることを特徴とする品出しカート。
【請求項２】
該パイプ部材は、前後一対を上下方向に所定の間隔で３段形成したものであることを特徴とする請求項１記載の品出しカート。
【請求項３】
該載置部は、最下段のパイプ部材の上方に隣接して第２の載置部を、下から２段目のパイプ部材の上方に隣接して第１の載置部を形成したものであることを特徴とする請求項１又は２記載の品出しカート。
【請求項４】
該載置部は、丸棒材の屈曲物であり、内側に水平状に延びる前方水平部、該前方部から屈曲して後方へ水平状に延びる中間水平部、該中間水平部の後方から上方に延びる後方鉛直部、該後方鉛直部から該側枠側へ水平に延びる後方第１水平部、該後方第１水平部から前方へ延びる後方第２水平部を有することを特徴とする請求項１〜３のいずれか１項に記載の品出しカート。
【請求項５】
該係止装置は、該第１の載置部の直上に形成したものであることを特徴とする請求項３記載の品出しカート。
【請求項６】
該回動係止部材は、丸棒材の屈曲物で、略Ｕ字形状であることを特徴とする請求項１〜５のいずれか１項に記載の品出しカート。
【請求項７】
該回動係止部材は、該Ｕ字を構成する縦部間に差し渡しで形成される横部材を備える請求項６記載の品出しカート。
【請求項８】
該回動係止部材と第１の載置部間は、該コンテナーの高さより小であることを特徴とする請求項３〜７のいずれか１項に記載の品出しカート。
【請求項９】
該固定部材は、丸棒材の屈曲物で略Ｕ字形状であり、下端は該回動係止部材の下端より上方で、且つ該横部材より下方であることを特徴とする請求項１〜８のいずれか１項に記載の品出しカート。
【請求項１０】
該固定部材は、該Ｕ字形状が該回動係止部材のＵ字形状より小であり、且つ該回動係止部材より前方に位置することを特徴とする請求項９記載の品出しカート。
【請求項１１】
該側枠は、パイプ材であって、下部にキャスターを付設した前後方向に直線状に延出する基台の上に、逆Ｕ字形状で設置されたものであることを特徴とする請求項１〜１０のいずれか１項に記載の品出しカート。
【考案の詳細な説明】
【技術分野】
【０００１】
本考案は、スーパー、量販店及びドラッグストアー等で販売される食材、瓶及び缶類等の品出しにおいて、コンテナーからの出し入れが容易な品出しカートに関するものである。
【背景技術】
【０００２】
従来、スーパー、量販店及びドラッグストアー等で販売される食材、瓶及び缶類等の品出しにおいて使用されるカート類は、種々のものが提案されている。
【０００３】
特開平１０−１３８９３２号公報には、先端部の幅寸法が後端部の幅寸法よりも大幅寸法となるように形成された上面フレーム１０及び底面フレーム２０、上部寄りの部位と下部寄りの部位でそれぞれ前記上面フレーム１０と底面フレーム２０の一端を連結し下端部にキャスター部７０を有する背面フレーム３０、上面フレーム１０と底面フレーム２０の他の一端を連結し下端部にキャスター部７０を有する前面フレーム及び、少なくとも一段の脱落防止部を有する棚フレーム５０を備えるネスティングラックが開示されている。このネスティングラックによれば、商品、使用目的及び物流、品出し及び陳列の各物流工程に即して、棚フレームの数を選択し、また、載置するコンテナーを選択すれば上記物流の全工程で効率よく使用できるとともに、構造が簡単であるため製作が容易となる。
【考案の概要】
【考案が解決しようとする課題】
【０００４】
しかしながら、特開平１０−１３８９３２号公報のラックにおいて、棚フレームの数が増加した場合、コンテナーの設置位置が目線より高くなる場合がある。このような設置位置が高いコンテナーから物品を取り出すには、背の高い人に頼むか、脚立を用いる他に方法がなく、実質的には、設置高さに制限があった。また、例えば３段ラックにおける中段のコンテナーから商品を取り出す際、コンテナーを構成する前側板の上端が腕に当たり損傷するという問題があった。
【０００５】
従って、本考案は、コンテナーの設置位置が高くても、品出しがし易い品出しカートを提供することである。
【課題を解決するための手段】
【０００６】
すなわち、本考案は、上記課題を解決したものであって、対峙する一対の側枠間にパイプ部材を水平状に差し渡して付設した枠体本体と、側枠から内側に延出する上部が開口したボックス状のコンテナーが載置する一対の載置部と、該載置部の直上であって、該コンテナーを引き出す側に位置する直上パイプ部材に付設される係止装置を備える品出しカートであって、該係止装置は、該直上パイプ部材に下方に垂れ下がり状で且つバネ力により前方へ回動するように付設される回動係止部材と、該直上パイプ部材に付設され、該回動係止部材の前方への回動を規制する固定部材とからなり、該回動係止部材は、該コンテナーを前方から該載置部に設置する際、該コンテナーに押されバネ付勢に抗して回動し、該コンテナー設置後、該コンテナーが前方へ引き出される際、該コンテナーの後側板の内側と当接して、該コンテナーを前方下りの傾斜姿勢とすることを特徴とする品出しカートを提供するものである。
【考案の効果】
【０００７】
本考案の品出しカートは、コンテナーの設置位置が高くても、コンテナーを手前に引き出し、前方下り傾斜状に設置できるため、品出しがし易い。
【図面の簡単な説明】
【０００８】
【図１】本考案の実施の形態における品出しカートの斜視図である。
【図２】図１の品出しカートの正面図である。
【図３】図１の品出しカートの右側面図である。
【図４】図１の品出しカートにコンテナーを設置する説明図である。
【図５】図４に続く説明図である。
【図６】図５に続く説明図である。
【図７】図１の品出しカートにコンテナーを設置する他の説明図である。
【図８】図６に続く説明図である。
【図９】図１の品出しカートの係止装置の説明図であり、（Ａ）〜（Ｃ）がコンテナーの設置を、（Ｄ）がコンテナーの傾斜設置を説明する図である。
【図１０】図１の品出しカートの折り畳み途中の図である。
【図１１】折り畳まれた後の品出しカートの斜視図である。
【考案を実施するための形態】
【０００９】
本考案の実施の形態に係る品出しカートを図１〜図３を参照して説明する。本明細書において、係止装置が形成される側が前方であり、その反対側が後方である。すなわち、左右方向は、前方側から見た方向を言う。品出しカート１０は、枠体本体１と、載置部２と、係止装置３を有するものである。
【００１０】
枠体本体１は、対峙する一対の側枠１１間にパイプ部材を水平状に差し渡して付設したものである。パイプ部材１４は、前後一対を上下方向に所定の間隔で３段で形成したものである。すなわち、枠体本体１は、逆Ｕ字形状の側枠１１を対峙させ、側枠１１の上部、中部及び下部の３箇所において、それぞれ前後一対の上部水平パイプ部材１４ａ、１４ａ、中部水平パイプ部材１４ｂ、１４ｂ、下部水平パイプ部材１４ｃ、１４ｃで左右の側枠１１、１１を接合したものである。なお、これらの左右方向に延びる水平パイプ部材１４は、側枠の鉛直部材１１１とは、鉛直部材１１１を中心に水平方向に回動するように接合されている。これにより、前後の水平パイプ部材１４が重なるように折り畳むことができる。
【００１１】
また、一側の側枠１１において、側枠のやや上部及び下部の２箇所において、それぞれ前後の鉛直部材１１１を接続する前後方向に延びる丸棒部材１３が形成されている。丸棒部材１３は、補強部材であり、品出しカート１０を堅牢なものにする。なお、丸棒部材１３の直径は、側枠の鉛直部材１１１の直径よりも小である。これにより、コンテナー５の収納の妨げとなることがない。
【００１２】
一対の側枠１１、１１の中、一側の側枠１１は、前後方向に延びる角棒部材１２に下端が接続されている。すなわち、角棒部材１２は、品出しカート１０の基台となるものである。また、角棒部材１２の裏面の前端近傍と後端近傍には、自在キャスター１５が付設されている。これにより、品出しカートは、前後方向及び左右方向などに移動自在となる。すなわち、側枠１１は、パイプ材であって、下部にキャスターを付設した前後方向に直線状に延出する基台１２の上に、逆Ｕ字形状体が立設したものである。なお、枠体本体１は、正面視で左右方向の中心を中心線として、左右対称である。
【００１３】
載置部２は、側枠１１から内側に延出するコンテナー５が載置する一対の部材である。すなわち、載置部２は、丸棒部材の屈曲物であり、側枠１１の前方の鉛直部材１１１から後方の鉛直部材１１１にかけて、内側に水平状に延びる前方水平部２１１、前方水平部２１１の前端から屈曲して後方へ水平状に延びる中間水平部２１２、該中間水平部２１２の後方端から上方に延びる後方鉛直部２１３、後方鉛直部２１３の上端から側枠側へ水平に延びる後方第１水平部２１４、後方第１水平部２１４の先端から前方へ延びる後方第２水平部２１５を有する。なお、中間水平部２１２は、後方の鉛直部材１１１を超えて更に後方へ延びている。なお、後方水平部２１４が、コンテナー５がそれ以上奥に行かない後方ストッパーとなる。このような載置部２は、コンテナー５の奥行き寸法が、前後一対の鉛直部材間の寸法より大となっても収納できる。また、コンテナー５を前方から押し込むだけで、後方水平部２１４からなる後方ストッパーで止まるため、作業性が高まる。
【００１４】
載置部２は、最下段のパイプ部材１４ｃの上方に隣接して第２の載置部２ｂを、下から２段目のパイプ部材１４ｂの上方に隣接して第１の載置部２ａをそれぞれ形成したものである。これにより、コンテナー５のスライド設置に適した載置形状とすることができると共に、左右方向の延びるパイプ部材１４ｂ、１４ｃがコンテナー５のスライド設置に障害となることがない。
【００１５】
係止装置３は、第１載置部２ａの直上であって、コンテナー５を引き出す側（前方側）に位置する直上パイプ部材１４ａに付設される。これにより、第１載置部２ａに設置されたコンテナー５を品出しする際、前方下り傾斜状に設置することができ、作業性を高めることができる。
【００１６】
係止装置３は、直上パイプ部材１４ａに下方に垂れ下がり状で且つバネ力により前方へ回動するように付設される回動係止部材３２と、直上パイプ部材１４ａに付設され、回動係止部材３２の前方への回動を規制する固定部材３１ａとからなる。すなわち、回動係止部材３２は、コンテンナー５を前方傾斜に支持する支持部材となるものであり、丸棒材の屈曲物で、略Ｕ字形状である。すなわち、回動係止部材３２は、水平部３２１と、水平部３２１の両端から上方に延びる水平部３２１より長さが小の鉛直部３２２とからなる略Ｕ形状であって、Ｕ字の２つの先端に、外側に屈曲する水平部３２３を有する。水平部３２３は、直上パイプ部材１４ａに付設された丸棒軸を回動自在に支持する軸受け部１４１に軸支される。これにより、回動係止部材３２は回動自在となる。また、水平部３２３と軸受け部１４１間には、コイルバネ（不図示）が介在している。コイルバネの設置方法は公知の方法であり、例えば、一端を軸受け部１４１に固定し、水平部３２３の丸棒軸の周りを幾重にも巻回し、他端を水平部３２３に固定する方法が挙げられる。これにより、回動係止部材３２は前方に常に回動するよう付勢される。また、回動係止部材３２には、Ｕ字を構成する縦部間に差し渡しで形成される横部材３２４を有している。この横部材３２４が固定部材３１ａに当たり、回動係止部材３２の前方への回動を規制することになる。回動係止部材３２と載置部２間は、コンテナー５の高さより小である。これにより、品出しの際、回動係止部材３２がコンテナー５の後側板５１ａを係止することができる。
【００１７】
固定部３１ａは、回動係止部材３２の前方への回動を規制するものであり、丸棒材の屈曲物で略Ｕ字形状であり、下端は回動係止部材３２の下端より上方で、且つ横部材３２４より下方であり、Ｕ字の２つの先端は内側に屈曲した溶着部となっている。溶着部は直上パイプ部材１４ａに溶着される。固定部３１ａのＵ字形状は回動係止部材３２のＵ字形状より小であり、且つ回動係止部材３２より前方に位置する。固定部３１ａのＵ字の高さは、回動係止部材３２の横部材３２４が当たる長さとする。このような固定部３１ａは、回動係止部材３２の前方ストッパーとして有効に機能する。直上パイプ部材１４ａにおける固定部３１ａと回動係止部材３２の固定位置は、左右方向において異なるものの、前後方向において同じ位置であるため、固定部３１ａと回動係止部材３２の横部材３２４が当接すると、回動係止部材３２は後方に僅かに傾斜することになる（図３参照）。回動係止部材３２は、コンテナー５ａを前方から載置部２に設置する際、コンテナー５ａに押されバネ付勢に抗して回動し、コンテナー５ａ設置後、コンテナー５ａが前方へ引き出される際、固定部３１ａにより前方回動が規制され、且つコンテナー５ａの後側板５１ａの上部内側と当接して、コンテナー５ａを前方下りの傾斜姿勢とする機能を奏する。なお、固定部は第２段のパイプ部材１４ｂにも付設されている（図２中、符号３１ｂ）。固定部３１ｂは、高さの高いコンテナー５の前方ストッパー（係止部材）として機能する。
【００１８】
次に、品出しコンテナー１０の使用方法を図４〜図９を参照して説明する。なお、図９は係止装置３周りを側面から見た模式図である。図４〜図９は、商品Ａを多量に入れたコンテナー５ａを２段目（第１載置部２ａ）に設置するものである。コンテナー５ａはほぼ水平状態で、品出しコンテナー１０の第１載置部２ａに前方から後方に押し込むように入れる（図４及び図９（Ａ））。すなわち、コンテナー５ａの底面を第１載置部２ａに載せながら後方に押し込む。この際、コンテナー５ａの上端は、固定部３１ａには届かない。そして、コンテナー５ａの上端部は、回動係止部材３２に当たるものの、バネ付勢に抗して押すため、回動係止部材３２は後方に回動して、コンテナー５ａの入れ込みの障害とはならない（図５及び図９（Ｂ））。コンテナー５ａを更に後方に押し込むと、コンテナー５ａは、載置部２の後方部材２１４に当たるため、搭載作業が終了する。この際、回動係止部材３２は、コンテナー５ａの後方壁５１ａが通り過ぎた後、前方障害がなくなるため、バネ付勢により前方へ回動し、コンテナー５ａの中に入ることになる（図６及び図９（Ｃ））。次いで、コンテナー５ａに入れた商品Ａを引き出す際、コンテナー５ａを載置部２上を滑らしながら手前に引く。この際、コンテナー５ａは、前方に荷重が載り、水平バランスを崩し、前方から下方に落ちる転倒姿勢となる。この際、コンテナー５ａの後側壁５１ａが回動係止部材３２にぶつかるため、コンテナー５ａは、前方下り傾斜姿勢を採ることになる（図８及び図９（Ｄ））。
【００１９】
なお、図７に示すように、品出しコンテナー１０は、第１段、すなわち、第２載置部２ｂに別のコンテナー５を載せることもできる。第１段には係止装置３が設置されておらず、前方下り傾斜の姿勢は採れない。第１段のコンテナー５の設置は地面に近い下方であるため、前方下り傾斜をしなくとも、品出しは容易である。なお、第１段に設置するコンテナー５の高さが、水平挿入において、固定部３１ａが障害となる程、高い場合、第２載置部２ｂへの設置は、後方下り傾斜とし、固定部３１ａを回避した後、後方上り傾斜とするシーソー方法で行なえばよい。また、品出しカート１０において、上段（第３段）にコンテナー５を設置することもできる。
【００２０】
品出しカート１０は、折り畳むことができる。すなわち、水平パイプ部材１４ａ〜１４ｃは、一対の側枠１１、１１の鉛直部材１１１に対して、水平方向に回動自在に設置されている。このため、一対の側枠１１、１１を斜め方向に向きを変えることで、前後一対の水平パイプ部材が重なるように、折り畳むことができる（図１０及び図１１）。折り畳み後は、倉庫等に保管すればよい。
【００２１】
品出しカート１０は、上記実施の形態に限定されず、種々の変形例を採ることができる。品出しカート１０において、側枠１１の形状は逆Ｕ字形状に限定されず、例えば、Ｈ字形状又は逆Ｕ字の上部水平部が省略された２本の柱が起立するような形状であってもよい。また、品出しカート１０は、上記３段に限定されず、２段あるいは４段以上であってもよい。また、品出しカート１０の載置部２の形状は、上記形状に限定されない。また、係止装置３の設置箇所は、第２段の上方のパイプ部材１４ａに限定されず、例えば、第１段の上方のパイプ部材１４ｂに形成してもよい。また、係止装置３の固定部３１ａの形状は上記形状に限定されず、コンテナー５の入れ込みの障害とならず、且つ回動係止部材３２の前方回動を規制するものであれば、Ｉ字形状、Ｖ字形状等如何なる形状であってもよい。
【産業上の利用可能性】
【００２２】
本考案の品出しカートによれば、コンテナーの設置位置が高くても、コンテナーを手前に引き出し、前方下り傾斜状に設置できるため、品出しがし易い。また、品出しの他、流通過程のカートや陳列用のカートとしても使用できる。
【符号の説明】
【００２３】
１    枠体本体
２、２ａ、２ｂ    載置部
３    係止装置
５、５ａ、５ｂ    コンテナー
１０    品出しコンテナー
１１    側枠
１４ａ〜１４ｃ    パイプ部材
１５    キャスター
３１ａ  固定部材
３２    回動係止部材
【図１】
0003184997.tif 000003
【図２】
0003184997.tif 000004
【図３】
0003184997.tif 000005
【図４】
0003184997.tif 000006
【図５】
0003184997.tif 000007
【図６】
0003184997.tif 000008
【図７】
0003184997.tif 000009
【図８】
0003184997.tif 000010
【図９】
0003184997.tif 000011
【図１０】
0003184997.tif 000012
【図１１】
0003184997.tif 000013